(57)【要約】  【課題】  任意のキーに装着可能であり、持ちやすく操作が容易であり、さらに施錠したことを容易に確認することが可能となるキーホルダーを提供することである。【解決手段】  キーホルダー１の把持部２を平面視略卵形の箱状体とし、長寸部となる下部から前記チェーンリンク部が装着される短寸部の上部に向かって順に、操作ボタン部２２と、施錠確認表示部２３Ａと、時刻表示部２３Ｂと、施錠スイッチと開錠スイッチを並設したスイッチ部とを設けると共に、前記施錠確認表示部が、前記スイッチの操作に応じて施錠・開錠のいずれかを表示する施錠確認表示部であり、前記時刻表示部が、前記操作ボタン部の操作により、施錠または開錠した時刻および現時刻のいずれかを表示する時刻表示部構成とした。【選択図】    図１
2008045343.tif 000002
【特許請求の範囲】
【請求項１】
キー装着部と把持部とこれらを連結するチェーンリンク部を備えるキーホルダーであって、
前記把持部を平面視略卵形の箱状体とし、長寸部となる下部から前記チェーンリンク部が装着される短寸部の上部に向かって順に、操作ボタン部と、施錠確認表示部と、時刻表示部と、施錠スイッチと開錠スイッチを並設したスイッチ部とを設けると共に、
前記施錠確認表示部が、前記スイッチの操作に応じて施錠・開錠のいずれかを表示する施錠確認表示部であり、前記時刻表示部が、前記操作ボタン部の操作により、施錠または開錠した時刻および現時刻のいずれかを表示する時刻表示部であることを特徴とするキーホルダー。
【請求項２】
前記スイッチがそれぞれ、所定時間内に所定回数連続して押下することで操作されたと認識される押しボタン式スイッチであり、前記施錠確認表示部が鍵型マークと×マークとを備えるＬＥＤ表示部であり、前記時刻表示部が時刻をデジタル表示するＬＥＤ表示部であり、前記把持部に、それぞれの操作および表示を制御すると共に複数の操作時刻を記憶する制御基板を内蔵し、所定の電力を供給する電池を収納する電池収納部を設けたことを特徴とする請求項１に記載のキーホルダー。
【請求項３】
前記施錠スイッチを所定時間内に所定回数押下して施錠確認操作を行うと、前記施錠確認表示部の鍵型マークが点灯表示され、同時にその操作時刻が前記時刻表示部に表示されると共に、前記開錠スイッチを所定時間内に所定回数押下して開錠確認操作を行うと、前記施錠確認表示部の鍵型マークの上に重ねて前記×マークが点灯表示され、同時にその操作時刻が前記時刻表示部に表示されることを特徴とする請求項１または２に記載のキーホルダー。
【請求項４】
前記操作ボタン部がモードキーとアップキーとダウンキーとを備えており、これらにキー操作により、時刻の初期設定を行うと共に、記憶された過去の操作時刻を表示可能としたことを特徴とする請求項１から３のいずれかに記載のキーホルダー。
【請求項５】
平面視略卵形の箱状体の前記把持部の側部上部に照明ランプを設け、側部下部に前記ランプのオン・オフ用スイッチを設けたことを特徴とする請求項１から４のいずれかに記載のキーホルダー。
【発明の詳細な説明】
【技術分野】
【０００１】
本発明は、キーホルダーに関し、特に外出時に施錠したことを確認可能とするキーホルダーに関するものである。
【背景技術】
【０００２】
従来、金属製であるキーにキーホルダーを装着して、掴み易くして携帯に便利とすると共に、落とすことや紛失することを防止するようにしている。また、キーホルダーとしては種々の形状や材料からなるものがあり、各地の名所名跡を模した金属製円板状のキーホルダーや、漫画等の主人公やヒーローを模したフィギュアー等のキーホルダーが一般に用いられている。
【０００３】
しかし、キーに風景やフィギュアー等を模したキーホルダーを装着しただけでは、キーは紛失しなくても、外出時にドアに施錠したかどうかを確認することはできない。
【０００４】
さらに、人はだんだん物忘れがひどくなっていくので、加齢につれて、特にだんだん同居家族が減っていく老人の場合は、本人が外出する際には必ず施錠する必要があるが、慌てて外出した時には、施錠したことを覚えておらず、施錠したかどうか不安感にかられてしまうことがある。
【０００５】
そのために、施錠情報を表示するキーヘッドを用いて、施錠した日付や時刻を表示可能としたキーヘッドが既に出願されている（例えば、特許文献１参照）。
【特許文献１】特開２００５−２１３９６７号公報（第１−５頁、第１図）
【発明の開示】
【発明が解決しようとする課題】
【０００６】
しかし、特定のキーのみに装着可能なキーヘッドではなく、任意のキーに装着可能なキーホルダーが、施錠したかどうかを確認可能であることが望ましい。また、持ちやすく操作のし易い形状のキーホルダーであるほうが好ましい。さらに、個人が用いるキーホルダーとしては、より小型で、より安価なキーホルダーであることが望ましい。
【０００７】
本発明の目的は、上記問題を解決するために、任意のキーに装着可能であり、持ちやすく操作が容易であり、さらに施錠したことを容易に確認することが可能となるキーホルダーを提供することである。
【課題を解決するための手段】
【０００８】
上記の目的を達成するために請求項１に係る発明は、キー装着部と把持部とこれらを連結するチェーンリンク部を備えるキーホルダーであって、前記把持部を平面視略卵形の箱状体とし、長寸部となる下部から前記チェーンリンク部が装着される短寸部の上部に向かって順に、操作ボタン部と、施錠確認表示部と、時刻表示部と、施錠スイッチと開錠スイッチを並設したスイッチ部とを設けると共に、前記施錠確認表示部が、前記スイッチの操作に応じて施錠・開錠のいずれかを表示する施錠確認表示部であり、前記時刻表示部が、前記操作ボタン部の操作により、施錠または開錠した時刻および現時刻のいずれかを表示する時刻表示部であることを特徴としている。
【０００９】
上記の構成を有する請求項１に係る発明によれば、把持部の本体形状が平面視略卵形であるので、握りやすい形状といえる。また、施錠確認表示部を長寸部に設けているので視認容易であり、さらに施錠した時刻を確認することで、外出時に施錠したかどうかが一目瞭然となる。
【００１０】
請求項２に係る発明は、前記スイッチがそれぞれ、所定時間内に所定回数連続して押下することで操作されたと認識される押しボタン式スイッチであり、前記施錠確認表示部が鍵型マークと×マークとを備えるＬＥＤ表示部であり、前記時刻表示部が時刻をデジタル表示するＬＥＤ表示部であり、前記把持部に、それぞれの操作および表示を制御すると共に複数の操作時刻を記憶する制御基板を内蔵し、所定の電力を供給する電池を収納する電池収納部を設けたことを特徴としている。
【００１１】
上記の構成を有する請求項２に係る発明によれば、施錠スイッチを所定時間連続して押下しないと施錠したことにならないので、間違って押下しても短時間であれば施錠表示とならず安全である。さらにＬＥＤ表示部としているので、消費電力が少なく、長時間明瞭な表示を行うことができる。
【００１２】
請求項３に係る発明は、前記施錠スイッチを所定時間押下して施錠確認操作を行うと、前記施錠確認表示部の鍵型マークが点灯表示され、同時にその操作時刻が前記時刻表示部に表示されると共に、前記開錠スイッチを所定時間押下して開錠確認操作を行うと、前記施錠確認表示部の鍵型マークの上に重ねて前記×マークが点灯表示され、同時にその操作時刻が前記時刻表示部に表示されることを特徴としている。
【００１３】
上記の構成を有する請求項３に係る発明によれば、鍵マークと×マークとを組み合わせて用いることで、施錠したことと開錠したこと、および、施錠した時刻または開錠した時刻を明確に表示することができる。
【００１４】
請求項４に係る発明は、前記操作ボタン部がモードキーとアップキーとダウンキーとを備えており、これらにキー操作により、時刻の初期設定を行うと共に、記憶された過去の操作時刻を表示可能としたことを特徴としている。
【００１５】
上記の構成を有する請求項４に係る発明によれば、施錠時刻と開錠時刻を確認することで、外出した時間および履歴を知ることができる。
【００１６】
請求項５に係る発明は、平面視略卵形の箱状体の前記把持部の側部上部に照明ランプを設け、側部下部に前記ランプのオン・オフ用スイッチを設けたことを特徴としている。
【００１７】
上記の構成を有する請求項５に係る発明によれば、周囲が暗い時には、照明ランプを点灯し、夜間の施錠操作と開錠操作を容易に行うことができる。
【発明の効果】
【００１８】
上記したように本発明によれば、把持部を平面視略卵形の箱状体とし、長寸部となる下部から前記チェーンリンク部が装着される短寸部の上部に向かって順に、操作ボタン部と、施錠確認表示部と、時刻表示部と、施錠スイッチと開錠スイッチを並設したスイッチ部とを設けると共に、前記施錠確認表示部を、前記スイッチの操作に応じて施錠・開錠のいずれかを表示する施錠確認表示部とし、前記時刻表示部を、前記操作ボタン部の設定により、施錠または開錠した時刻および現時刻のいずれかを表示する時刻表示部としたので、握りやすい形状で且つ操作しやすい形状であり、施錠確認が容易なキーホルダーを得ることができる。
【発明を実施するための最良の形態】
【００１９】
以下、本発明に係るキーホルダーの実施の形態について図面を用いて詳細に説明する。
【００２０】
図１に示すキーホルダー１は、把持部２とキー装着部３とこれらを連結するチェーンリンク部４を備えている。前記把持部２は、その本体２１の形状が平面視略卵形の箱状体であって、長寸部となる下部から前記チェーンリンク部４が装着される短寸部の上部に向かって順に、操作ボタン部２２と、施錠確認表示部２３Ａと時刻表示部２３Ｂを有する表示部２３と、施錠スイッチ２４Ａと開錠スイッチ２４Ｂを並設したスイッチ部２４とを設けている。また、前記施錠確認表示部２３Ａは、前記スイッチの操作に応じて施錠・開錠のいずれかを表示する施錠確認表示部であり、前記時刻表示部２３Ｂは、前記操作ボタン部２２の操作により、施錠または開錠した時刻および現時刻のいずれかを表示する時刻表示部となる。
【００２１】
また、前記把持部２の本体２１内部に、それぞれの操作および表示を制御すると共に複数の操作時刻を記憶する制御基板（不図示）を内蔵し、所定の電力を供給する電池を収納する電池収納部（不図示）を設けた構成としている。この電池としては小型のボタン電池が好適であり、本体２１の裏蓋を開閉して着脱自在とすることができる。
【００２２】
前記施錠スイッチ２４Ａと開錠スイッチ２４Ｂは、それぞれ、所定時間内に所定回数連続して押下することで操作されたと認識される押しボタン式スイッチであり、例えば２秒内に連続して２回押下することで操作完了となるよう設定されている。また、前記施錠確認表示部２３Ａを、鍵型マークと×マークとを備えるＬＥＤ表示部とし、前記時刻表示部を、時刻をデジタル表示するＬＥＤ表示部としている。
【００２３】
そのために、施錠スイッチ２４Ａを所定回数連続して（例えば２秒以内に２回）押下しないと施錠したことにならないので、間違って押下しても施錠表示とならず安全である。さらにＬＥＤ表示部としているので、消費電力が少なく、長時間明瞭な表示を行うことができる。
【００２４】
つまり、前記施錠スイッチ２４Ａを所定時間内に所定回数連続押下して施錠確認操作を行うと、前記施錠確認表示部２３Ａの鍵型マークが点灯表示され、同時にその操作時刻が前記時刻表示部２３Ｂに表示されると共に、前記開錠スイッチ２４Ｂを所定時間内に所定回数連続押下して開錠確認操作を行うと、前記施錠確認表示部２３Ａの鍵型マークの上に重ねて前記×マークが点灯表示され、同時にその操作時刻が前記時刻表示部２３Ｂに表示される。
【００２５】
それぞれの表示部は、それぞれ固有のカラー表示でも、白黒表示でもどちらでもよいが、時刻表示は単調な単色表示とし、鍵型マークと×マークとはそれぞれ視認容易なカラー表示（例えば赤色）であるほうが好ましい。
【００２６】
また、施錠スイッチ２４Ａを赤色として注意を促す表示色とし、開錠スイッチ２４Ｂを青色表示として室内への侵入可能表示色としてもよい。
【００２７】
前記施錠確認表示部２３Ａに鍵マークのみを表示・非表示として、施錠状態と開錠状態とを表示することも可能であるが、鍵マークと×マークとを組み合わせた表示とすると、施錠したことと開錠したことを間違いなく確認することができ好適である。また、施錠確認操作を行うと、施錠した時刻を表示し、開錠確認操作を行うと、開錠した時刻を表示する構成としておくことで、最後に行った操作を明確に表示することができる。
【００２８】
さらに、平面視略卵形の箱状体の前記把持部２の一方の側部上部に照明ランプ２５を設け、側部下部に前記ランプのオン・オフ用スイッチ２６を設けている。この構成であれば、周囲が暗い時には、前記スイッチ２６を操作して照明ランプ２５を点灯し、夜間の施錠操作と開錠操作を容易に行うことができる。
【００２９】
図２には本発明に係るキーホルダー１の正面図を示している。
【００３０】
この図からも判るように、把持部２の本体形状が平面視略卵形であるので、握りやすい形状といえる。また、表示部２３を大きなサイズにしているので視認容易であり、さらに施錠した時刻と施錠状態（例えば図に示す「開」の文字）を示すことで、外出時に施錠したかどうかが一目瞭然となる。また、前記「開」の表記に替えて、「ＯＰＥＮ」や「ＵＮＬＯＣＫ」表記してもよい。
【００３１】
さらに図３より、表示部２３に表示される表記内容について説明する。
【００３２】
図３（ａ）には前述した「開」表記を示している。この状態は開錠した状態であり、施錠確認表示部２３Ａには、鍵型マーク３１の上に×マーク３２が重ねて点灯表示されている。つまり、開錠操作がされた状態を示し鍵が掛かっていない表示である。また、同時にその操作時刻（例えば、８月８日、１２時３０分）が時刻表示部２３Ｂに表示される。
【００３３】
この際に、前記鍵型マーク３１と×マーク３２の両方を共に赤色表示、または黒色表示の単色表示としても、一方を赤色表示し、他方を黒色表示することも可能である。
【００３４】
図３（ｂ）には、「閉」表記、つまり施錠した状態を示している。この時には、施錠確認表示部２３Ａには、鍵型マーク３１のみが表示された状態であり、鍵が掛かっていることが一目瞭然である。また、この「閉」表記に替えて、「ＣＬＯＳＥ」や「ＬＯＣＫ」表記することも可能である。この時に、時刻表示部２３Ｂには施錠確認操作を行った時刻８月８日８時３０分が表示されている。
【００３５】
図３（ｃ）には、施錠確認表示部２３Ａには何も表示されておらず、ただ時刻のみが表示された状態である。これは初期状態であり、現時刻を設定しただけの、施錠確認操作や開錠確認操作を行う前の状態である。
【００３６】
この現時刻設定は、前述した操作ボタン部２２のボタン操作により行う。前記操作ボタン部２２（図２参照）は、例えばモードキー２２ａとアップキー２２ｂとダウンキー２２ｃとを備えており、モードキーにより設定する項目（日、時、分等）を選択し、アップキーとダウンキー操作により正しい日、時、分を設定していく公知の時刻設定操作と同様の操作である。また、時刻を設定しただけの状態では、時刻表示部２３Ｂには現在の時刻が表示されている。この状態で、例えば玄関の施錠を行い、施錠スイッチ２４Ａを所定時間押下して施錠確認操作を行うと、前記施錠確認表示部２３Ａの鍵型マーク３１が点灯表示され、同時にその操作時刻が記憶されると共に前記時刻表示部２３Ｂに表示される。
【００３７】
このまま、操作ボタン部２２のボタン操作を行わないと、表示部２３には鍵型マーク３１と操作時刻が表示され続けることになる。また、前記操作ボタン部２２の所定のボタン操作により、新たな現時刻表示に変えることもできる。
【００３８】
つぎに、開錠スイッチ２４Ｂを所定時間内に所定回数連続押下して開錠確認操作を行うと、前記施錠確認表示部２３Ａの鍵型マーク３１の略中央部の上に重ねて前記×マーク３２が点灯表示され、同時にその操作時刻が前記時刻表示部２３Ｂに表示される。
【００３９】
施錠確認時刻と開錠確認時刻とは、その操作順に従って、内蔵される制御基板に記憶されており、操作ボタン部２２のボタン操作（アップキーとダウンキーの操作）によりそれぞれを表示可能としている。
【００４０】
上記したように、操作ボタン部２２の操作により、時刻の初期設定を行うと共に、表示内容を記憶された過去の操作時刻を表示可能としたので、現在の施錠状態を確認できると共に、帰宅した時間や外出した時間およびそれらの履歴を知ることができる。また、記憶するデータ量は、メモリー容量に応じて、最新の所定回数（例えば５回）の操作データに限定してもよい。
【００４１】
本発明に係るキーホルダー１は、キー装着部３に任意のキーを装着できるので、玄関のキーに限らずに、車のキーにでも、大事なカバンのキーにでも装着可能となる。ただ、キー操作を行ったときに、その操作が施錠操作であれば、施錠スイッチ２４Ａを所定時間内に所定回数連続押下する施錠確認操作を行い、前記操作が開錠操作であれば、開錠スイッチ２４Ｂを所定時間内に所定回数連続押下する開錠確認操作を行うだけでよい。
【００４２】
もし、慌てて外出して施錠操作を行わなかった場合には、表示には、帰宅した際に行った開錠確認操作の表示とその時刻が表示されていることになり、施錠していないことが一目瞭然となる。
【００４３】
上記したように、本発明に係るキーホルダーは、把持部の本体形状が平面視略卵形であるので、握りやすく操作し易い形状であり、片手で把持して操作することも可能となる。また、施錠確認表示部を前記卵形本体の長寸部近辺に設けているので、操作しながら表示画面を視認することも容易である。
【００４４】
さらに、施錠・開錠の操作した時刻を表示するので、この時刻を確認することで、外出時に施錠したかどうかが一目瞭然となる。また、操作した時刻を順に記憶しているので、施錠時刻と開錠時刻を順に呼び出して表示することができ、外出した時間および履歴を知ることができる。
【００４５】
また、施錠確認の表示を鍵型マークで行い、開錠操作の確認を前記鍵型マークの上に重ねて×マークを点灯表示するようにしているので、現在が開錠状態であるか施錠状態であるかが一目瞭然となり、間違うことがない。
【図面の簡単な説明】
【００４６】
【図１】本発明に係るキーホルダーの一例を示す斜視図である。
【図２】上記キーホルダーの正面図である。
【図３】表示部の表示内容を示し、（ａ）は開錠した開状態であり、（ｂ）は施錠した閉状態であり、（ｃ）は施錠確認操作も開錠確認操作も行っていない初期状態である。
【符号の説明】
【００４７】
１  キーホルダー
２  把持部
３  キー装着部
４  チェーンリンク部
２２  操作ボタン部
２３  表示部
２３Ａ  施錠確認表示部
２３Ｂ  時刻表示部
２４  スイッチ部
２４Ａ  施錠スイッチ
２４Ｂ  開錠スイッチ
２５  照明ランプ
２６  オン・オフ用スイッチ
３１  鍵型マーク
３２  ×マーク
【図１】
2008045343.tif 000003
【図２】
2008045343.tif 000004
【図３】
2008045343.tif 000005